(57)【要約】      （修正有）【課題】一方の袖先から他方の袖先にわたって直線的な柄を表し、デザインの多様性・機能性を向上させる上半身用衣類を提供する。【解決手段】 前身頃１１１ａ、後身頃、及び左右一対の袖部１２を備え、前身頃１１１ａ及び後身頃が表裏となるように接合されて前後身頃１１を形成し、この前後身頃１１の上部左右に袖部１２が接合されている上半身用衣類であって、左右一対の袖部１２は、前後身頃１１に対して垂直に接合されて、前後身頃１１を挟んで一直線上に配置され、一方の袖部１２の袖口部分１２ａから前身頃１１１ａ又は後身頃のいずれかを経て他方の袖部１２の袖口部分１２ａに渡って、連続的な直線状の表示部１３１を有する。【選択図】図１
0003218224.tif 000002
【実用新案登録請求の範囲】
【請求項１】
前身頃、後身頃、及び左右一対の袖部を備え、前身頃及び後身頃が表裏となるように接合されて前後身頃を形成し、この前後身頃の上部左右に袖部が接合されている上半身用衣類であって、
前記左右一対の袖部は、前記前後身頃に対して垂直に接合されて、前記前後身頃を挟んで一直線上に配置され、
前記一方の袖部の袖口部分から前記前身頃又は前記後身頃のいずれかを経て他方の袖部の袖口部分に渡って、連続的な直線状の表示部を有する
ことを特徴とする上半身用衣類。
【請求項２】
前記表示部は、前記前身頃側及び前記後身頃側の両方に形成され、前記前後見頃の表裏に配置されていることを特徴とする請求項１に記載の上半身用衣類。
【請求項３】
前記表示部には、蛍光剤を含む素材、又は反射材が貼設されていることを特徴とする請求項１又は請求項２に記載の上半身用衣類。
【請求項４】
前記袖部を左右方向に開くことにより前記表示部が直線状をなした際、前記表示部にはその左右方向に沿った方向性を有する文字又は図形が視認可能に表されることを特徴とする請求項１乃至３のいずれかに記載の上半身用衣類。
【請求項５】
前記袖部を左右方向に開くことにより前記表示部が直線状をなした際、前記表示部にはその左右方向に沿って繰り返される文字又は図形が視認可能に表されることを特徴とする請求項１乃至３のいずれかに記載の上半身用衣類。
【請求項６】
前記袖部を左右方向に開くことにより前記表示部が直線状をなした際、前記表示部にはその左右方向と直交する方向に沿った方向性を有する文字又は図形が視認可能に表されることを特徴とする請求項１乃至３のいずれかに記載の上半身用衣類。
【考案の詳細な説明】
【技術分野】
【０００１】
本考案は、前身頃、後身頃、及び左右一対の袖部を備え、前身頃及び後身頃が表裏となるように接合されて前後身頃を形成し、この前後身頃の上部左右に袖部が接合されている上半身用衣類に関する。
【背景技術】
【０００２】
従来、ワイシャツやＴシャツ、トレーナーやパーカーといった上半身用衣類では、例えば特許文献１に開示されているような、種々のデザインや機能の製品が開発されている。この特許文献１に開示された衣類では、前身頃パターンの首先から肩先に到る肩線が水平線の傾斜角度を工夫することによって、均一な着圧分布で良好なフィット感を確保するとともに、身体の動きに対して突っ張り感やだぶつき感が生じることなく、着用時の美観を向上させている。
【先行技術文献】
【特許文献】
【０００３】
【特許文献１】特開２０１５−３０９３３号公報
【考案の概要】
【考案が解決しようとする課題】
【０００４】
しかしながら、従来の衣類では、前身頃パターンの首先から肩先に到る肩線が傾斜され、袖部分が肩線に対して屈曲するように接合されていることから、袖部から見頃に到る部分はその表面に表された柄も傾斜されて接続されて屈曲された不連続なものとなっている。このため、一方の袖先から他方の袖先にわたって直線的な柄を表すことができず、衣類のデザインに一定の制限を与えていた。
【０００５】
そこで、本考案は、上記のような問題を解決するものであり、前後身頃の上部左右に袖部が接合されている衣類において、一方の袖先から他方の袖先にわたって直線的な柄を表し、衣類のデザインの多様性・機能性を向上させることのできる上半身用衣類を提供することを目的とする。
【課題を解決するための手段】
【０００６】
上記課題を解決するために、本考案は、前身頃、後身頃、及び左右一対の袖部を備え、前身頃及び後身頃が表裏となるように接合されて前後身頃を形成し、この前後身頃の上部左右に袖部が接合されている上半身用衣類であって、左右一対の袖部は、前後身頃に対して垂直に接合されて、前後身頃を挟んで一直線上に配置され、一方の袖部の袖口部分から前身頃又は後身頃のいずれかを経て他方の袖部の袖口部分に渡って、連続的な直線状の表示部を有することを特徴とする。
【０００７】
上記考案において、表示部は、前身頃側及び後身頃側の両方に形成され、前後見頃の表裏に配置されていることが好ましい。また、本考案は、表示部には、蛍光剤を含む素材、又は反射材が貼設されていることを特徴とする。
【０００８】
さらに、本考案は、上記の上半身用衣類を用いた情報提示方法であって、前後見頃両側の一対の袖部を左右に広げて上半身用衣類を配置し、その表示部に、一対の袖部を広げた方向に関する情報を提示することを特徴とする。
【考案の効果】
【０００９】
以上述べたように、これらの考案によれば、前後身頃の上部左右に袖部が接合されている衣類において、一方の袖先から他方の袖先にわたって直線的な柄を表し、衣類のデザインの多様性・機能性を向上させることができる。
【図面の簡単な説明】
【００１０】
【図１】実施形態に係る上半身用衣類の正面図である。
【図２】実施形態に係る上半身用衣類の背面図である。
【図３】実施形態に係る上半身用衣類の表示部分のみを示す説明図である。
【図４】実施形態に係る上半身用衣類の表示部分のみを示す説明図である。
【図５】実施形態に係る上半身用衣類の表示部分のみを示す説明図である。
【図６】実施形態に係る上半身用衣類の表示部分のみを示す説明図である。
【図７】実施形態に係る上半身用衣類の表示部分のみを示す説明図である。
【図８】実施形態に係る上半身用衣類の使用例を示す説明図である。
【図９】実施形態に係る上半身用衣類の装着状態を示す説明図である。
【考案を実施するための形態】
【００１１】
（上半身用衣類の全体構成）
以下に添付図面を参照して、本考案に係る上半身用衣類の実施形態を詳細に説明する。図１及び図２は、本実施形態に係る上半身用衣類の正面図及び背面図である。なお、以下に示す実施の形態は、この考案の技術的思想を具体化するための装置等を例示するものであって、この考案の技術的思想は、各構成部品の材質、形状、構造、配置等を下記のものに特定するものでない。この考案の技術的思想は、実用新案登録請求の範囲において、種々の変更を加えることができる。
【００１２】
本実施形態に係る長袖シャツ１は、前身頃１１１ａ、後身頃１１１ｂ、及び左右一対の袖部１２，１２を備え、前身頃１１１ａ及び後身頃１１１ｂが表裏となるように接合されて前後身頃１１を形成し、この前後身頃１１の上部左右１２ｂ，１２ｂに袖部１２，１２が接合されている上半身用衣類である。なお、前後身頃１１及び袖部１２等について、生地（編地）を構成する糸種は単糸または双糸の綿糸など種々のものを採用することができ、季節に応じてその番手を適宜変更することが可能である。また、綿以外に、麻や絹等の天然繊維、ポリエステル糸等の合繊糸等を用いてもよい。
【００１３】
左右一対の袖部１２，１２は、前後身頃１１に対して垂直に接合されて、前後身頃１１を挟んで一直線上に配置され、一方の袖部１２の袖口部分１２ａから前身頃１１１ａ又は後身頃１１１ｂのいずれかを経て他方の袖部１２の袖口部分１２ａに渡って、連続的な直線状の表示部１３（１３１，１３２）を有する。この袖部１２，１２は、上部側の直線が前後身頃１１の方部分となだらかに接続されており、左右の袖部１２，１２を左右に広げた状態で、袖部１２，１２それぞれの袖先部分１２ａ，１２ａが平行になるように形成されている。表示部１３１，１３２はこの袖先部分１２ａ、１２ａに対して直交するように形成されている。
【００１４】
表示部１３１，１３２は、本実施形態では、前身頃１１１ａ側及び後身頃１１１ｂ側の両方に形成され、前後見頃１１の表裏に配置されている。なお、ここでは、表示部を前身頃側と後身頃側の両方に設けた場合を例に説明するが、前身頃又は後身頃のうちいずれかにのみ表示部を形成してもよい。
【００１５】
この表示部１３１，１３２は、上下に直線が１本ずつ配置されており、その間に種々の模様を付することができるようになっている。この模様としては、図３〜図５に示すように、「立入禁止」、「ＫＥＥＰ  ＯＵＴ」、その旨のポーズを表す図形など、制止を意味する標識として機能する文字列や図形を繰り返し表してもよい。特に、左右の袖部１２，１２を左右方向に開くことにより表示部１３１，１３２が直線状をなすこととなり、このように直線状をなすことによって、これら「立入禁止」や「ＫＥＥＰ  ＯＵＴ」等の文字や図形は、表示部１３１，１３２の左右方向と直交する方向、すなわち前後身頃１１の表裏を貫通する方向（紙面垂直方向）に沿った方向性を有することとなる。このため、本考案を着衣した状態で両手を左右に広げることで、「通行止め」といった行動を制止するメッセージをわかりやすく且つ動的に伝えることができる。なお、本発明に言う「連続的な直線状」とは、図３に示すように、二本線の間に文字列を並べることにより水平に沿った方向性を有する直線とする場合の他、図４及び図５に示すように、二本線を省略して文字列や図形のみを繰り返し水平方向に連続させることにより直線状としてもよい。さらには、図６及び図７に示すように、矢印や、歩く人をモチーフにした図形など、記号や図形そのものが方向性を有するものを、水平方向に繰り返すことにより直線状を表現するようにしてもよい。
【００１６】
また、表示部１３１，１３２に表される模様としては、図６及び図７に示すように、水平方向に繰り返されて表示される矢印や図形、文字とすることもできる。すなわち、左右の袖部１２，１２を左右方向に開くことによって表示部１３１，１３２が直線状をなした際、表示部１３１，１３２の左右方向に沿った方向性を有する矢印のような方向性を有する記号（図６）、或いは人が歩行している図形が繰り返される案内表示（図７）などを視認可能に表すことによって、本考案を着衣した状態で両手を左右に広げることで、避難経路の案内や、イベント会場への誘導などの情報を、わかりやすく且つ動的に提示することができる。その他、表示部１３１，１３２に表される模様としては、企業名や商品名などを表して宣伝効果を図ってもよい。
【００１７】
さらに、この表示部１３１，１３２には、蛍光剤や蓄光剤を含む素材、又は反射材を貼設することもでき、上記表示部１３１，１３２に表された模様を蛍光剤や蓄光剤、反射材等で表してもよい。この場合には、図９に示すように、反射材が着衣者Ｐ２の前面側及び背面側に表示されるため、周囲３６０°いずれの方向からも視認されやすくなり、安全性を向上させることができる。
【００１８】
なお、上述した実施形態では特にサイズを例示していないが、本考案による肌着は、成人男子のＬサイズ、Ｍサイズ、Ｓサイズ、ＬＬサイズ等、各サイズに適用することが可能である。また、  上述した実施形態では本考案を丸首半袖の肌着に適用した例を説明したが、七部袖や長袖の肌着にも適用可能であることはいうまでもない。また、丸首以外にＵ首、Ｖ首等のデザインを採用することも可能である。さらに、前身頃が左右に分かれた前開の肌着にも適用可能である。また、上述した実施形態では肌着を例に本考案を説明したが、本考案による上半身用衣類は肌着に限らずスポーツシャツ等のアウターウェア等にも適用することができる。
【００１９】
（情報提示方法）
以上説明した長袖シャツ１を用いることによって、本考案の情報提示方法を実施することができる。図８は、長袖シャツ１を用いた情報提示方法を示す説明図である。なお、本実施形態に係る方法は一例に過ぎず、その手順は可能な限り変更されてもよい。また、以下で説明する方法について、実施の形態に応じて、適宜、手順の省略、置換及び追加が可能である。
【００２０】
同図に示すように、上述した構成の長袖シャツ１を着衣した多数の係員Ｐ，Ｐが並んで、表示部１３１，１３２が一直線に接続されたように見えるように、両手を広げて並ぶことで、前後見頃１３両側の一対の袖部１２，１２を左右に広げて上半身用衣類を配置する。これにより、表示部１３１，１３２に、一対の袖部１２，１２を広げた方向に関する情報を提示する。また、この長袖シャツ１を着衣した状態で交通規制や工事現場の交通指示のように、棒状の警告灯を持った場合には、表示部１３１が警告灯によって延長されることとなり、指示する方向や、警告をより強調することができ、視認性を高めることができる。
【００２１】
（作用・効果）
以上説明したように、本実施形態に係る長袖シャツ１によれば、一方の袖先１２ａから他方の袖先１２ａにわたって直線的な柄として表示部１３１，１３２を形成しているため、衣類のデザインの多様性・機能性を向上させることができる。
また、上述したように、表示部１３１，１３２として、蛍光剤を含む素材、又は反射材を貼設すれば、図９に示すように、反射材が着衣者Ｐ２の前面側及び背面側に表示されるため、周囲３６０°いずれの方向からも視認されやすくなり、安全性を向上させることができる。
【符号の説明】
【００２２】
Ｐ，Ｐ…係員
Ｐ２…着衣者
１…長袖シャツ
１１…前後身頃
１２，１２…袖部
１２ａ…袖口部分
１２ｂ，１２ｂ…上部左右
１３…表示部
１１１ａ…前身頃
１１１ｂ…後身頃
１３１，１３２…表示部
【図１】
0003218224.tif 000003
【図２】
0003218224.tif 000004
【図３】
0003218224.tif 000005
【図４】
0003218224.tif 000006
【図５】
0003218224.tif 000007
【図６】
0003218224.tif 000008
【図７】
0003218224.tif 000009
【図８】
0003218224.tif 000010
【図９】
0003218224.tif 000011